(57)【要約】【課題】分散型電源から電力系統へ供給される電力の変動抑制効果を向上させることを目的とする。【解決手段】分散型電源の出力平準化システム１０は、分散型電源２と電力系統４とを接続する電力線３に接続された充放電可能な蓄電装置１１と、電力線３に接続された蓄電関連負荷１３とを備え、蓄電装置１１の充放電制御及び蓄電関連負荷１３の出力制御により、分散型電源２の出力の平準化を行う。分散型電源の出力平準化システム１０は、蓄電装置１１の充放電を制御するための充放電指令を設定するとともに、該充放電指令による蓄電装置１１の充放電制御では吸収できない分散型電源２の出力変動の余剰分を、蓄電関連負荷１３の出力制御によって低減させる負荷制御指令を設定するシステム制御部１５と、充放電指令に基づいて蓄電装置１１の充放電を制御する充放電制御部１２と、負荷制御指令に基づいて蓄電関連負荷１３を制御する負荷制御部１４とを備える。【選択図】図１
2014138546.tif 000002
【特許請求の範囲】
【請求項１】
自然エネルギーを電力に変換して出力する分散型電源と電力系統とを接続する電力線に接続された充放電可能な蓄電手段と、
前記電力線に接続された蓄電関連負荷と、
前記蓄電手段の充放電を制御するための充放電指令を設定する充放電指令設定手段と、
前記充放電指令による蓄電手段の充放電制御では吸収できない前記分散型電源の出力変動の余剰分を、前記蓄電関連負荷の出力制御によって低減させる前記負荷制御指令を設定する負荷制御指令設定手段と、
前記充放電指令に基づいて前記蓄電手段の充放電を制御する充放電制御手段と、
前記負荷制御指令に基づいて前記蓄電関連負荷を制御する負荷制御手段と
を備え、
前記蓄電手段の充放電制御及び前記蓄電関連負荷の出力制御による前記分散型電源の出力の平準化が可能な分散型電源の出力平準化システム。
【請求項２】
前記充放電指令設定手段は、
前記蓄電手段の充電率を所定の目標充電率に近づけるための補正値を演算し、該補正値を用いて前記分散型電源の出力を補正する出力補正手段と、
補正後の前記分散型電源の出力を用いて、前記蓄電手段の目標出力である第１目標出力を設定する第１目標出力設定手段と、
前記第１目標出力と前記分散型電源の出力との差分に基づいて、前記充放電指令を設定する第１指令設定手段と
を有し、
前記負荷制御指令設定手段は、前記分散型電源の出力を用いて、前記蓄電関連負荷の目標出力である第２目標出力を設定する第２目標出力設定手段と、
前記第２目標出力と前記第１目標出力との差分を用いて、前記負荷制御指令を設定する第２指令設定手段と
を有する請求項１に記載の分散型電源の出力平準化システム。
【請求項３】
前記負荷制御指令設定手段は、前記蓄電手段の使用期間、外気温、及び前記蓄電手段の温度の少なくともいずれか１つに基づいて、前記負荷制御指令を補正する請求項１または請求項２に記載の分散型電源の出力平準化システム。
【請求項４】
前記蓄電関連負荷には、前記蓄電手段を冷却するための空調設備が含まれ、
前記分散型電源の出力変動が前記蓄電手段の充電制御によって吸収できない場合に、前記空調設備の出力を強制的に増加させ、
前記分散型電源の出力変動が前記蓄電手段の充電制御によって吸収できない場合に、前記空調設備の出力を強制的に低下させるまたは前記空調設備を強制停止させる請求項１から請求項３のいずれかに記載の分散型電源の出力平準化システム。
【請求項５】
前記空調設備の冷却エネルギーを蓄積する熱蓄積手段を備える請求項４に記載の分散型電源の出力平準化システム。
【請求項６】
前記蓄電関連負荷には、無停電電源装置が含まれ、
前記分散型電源の出力変動が、前記蓄電手段の放電制御によって吸収できない場合に、前記無停電電源装置を前記電力線から切り離す請求項１から請求項５のいずれかに記載の分散型電源の出力平準化システム。
【請求項７】
前記蓄電手段と前記蓄電関連負荷とは、共通の建屋内に設置される請求項１から請求項６のいずれかに記載の分散型電源の出力平準化システム。
【請求項８】
自然エネルギーを電力に変換して出力する分散型電源と、
請求項１から請求項７のいずれかに記載の分散型電源の出力平準化システムと
を備える分散型電源システム。
【請求項９】
自然エネルギーを電力に変換して出力する分散型電源と電力系統とを接続する電力線に、充放電可能な蓄電手段及び蓄電関連負荷を接続し、
前記蓄電手段の充放電を制御するための充放電指令を設定する充放電指令設定過程と、
前記充放電指令による蓄電手段の充放電制御では吸収できない前記分散型電源の出力変動の余剰分を、前記蓄電関連負荷の出力制御によって低減させる負荷制御指令を設定する負荷制御指令設定過程と、
前記充放電指令に基づいて前記蓄電手段の充放電を制御する充放電制御過程と、
前記負荷制御指令に基づいて前記蓄電関連負荷を制御する負荷制御過程と
を有し、
前記蓄電手段の充放電制御及び前記蓄電関連負荷の出力制御による前記分散型電源の出力の平準化が可能な分散型電源の出力平準化方法。
【発明の詳細な説明】
【技術分野】
【０００１】
本発明は、分散型電源の出力を平準化する分散型電源の出力平準化システム及びその方法並びに分散型電源システムに関するものである。
【背景技術】
【０００２】
従来、分散型電源から電力系統へ供給される電力の変動を抑制する手段として、蓄電池（二次電池）を利用するシステムが知られている。例えば、特許文献１には、分散型電源と電力系統との間に接続される負荷の電力消費量による出力電力の変動も考慮して、二次電池の充放電制御を行うことが開示されている。
【先行技術文献】
【特許文献】
【０００３】
【特許文献１】特開平８−３０８１０４号公報
【発明の概要】
【発明が解決しようとする課題】
【０００４】
蓄電池は、充放電範囲に限界がある。従って、例えば、蓄電池の充放電範囲を超えるような電力変動が生じた場合には、その変動を吸収することができない場合があった。
【０００５】
本発明は、このような事情に鑑みてなされたものであって、分散型電源から電力系統へ供給される電力の変動抑制効果を向上させることのできる分散型電源の出力平準化システム及びその方法並びに分散型電源システムを提供することを目的とする。
【課題を解決するための手段】
【０００６】
本発明は、自然エネルギーを電力に変換して出力する分散型電源と電力系統とを接続する電力線に接続された充放電可能な蓄電手段と、前記電力線に接続された蓄電関連負荷と、前記蓄電手段の充放電を制御するための充放電指令を設定する充放電指令設定手段と、前記充放電指令による蓄電手段の充放電制御では吸収できない前記分散型電源の出力変動の余剰分を、前記蓄電関連負荷の出力制御によって低減させる前記負荷制御指令を設定する負荷制御指令設定手段と、前記充放電指令に基づいて前記蓄電手段の充放電を制御する充放電制御手段と、前記負荷制御指令に基づいて前記蓄電関連負荷を制御する負荷制御手段とを備え、前記蓄電手段の充放電制御及び前記蓄電関連負荷の出力制御による前記分散型電源の出力の平準化が可能な分散型電源の出力平準化システムを提供する。
【０００７】
このような発明によれば、蓄電手段だけではなく、蓄電関連負荷も用いて、分散型電源の出力平準化を行うので、蓄電手段だけでは平準化しきれなかった出力変動についても抑制することが可能となり、分散型電源の出力平準化の効果を高めることができる。
また、具体的な制御においては、蓄電手段を優先的に用いて分散型電源の出力平準化を行い、蓄電手段では抑制しきれない出力変動が生じた場合に、蓄電関連負荷による出力制御を併用する。このように、蓄電関連負荷を補助的に利用することにより、蓄電手段によって抑制可能な程度の出力変動の場合には、蓄電関連負荷を通常運転状態に維持することが可能となる。
前記蓄電手段と前記蓄電関連負荷とは、例えば、共通の建屋内に設置されていてもよい。
【０００８】
上記分散型電源の出力平準化システムにおいて、前記充放電指令設定手段は、前記蓄電手段の充電率を所定の目標充電率に近づけるための補正値を演算し、該補正値を用いて前記分散型電源の出力を補正する出力補正手段と、補正後の前記分散型電源の出力を用いて、前記蓄電手段の目標出力である第１目標出力を設定する第１目標出力設定手段と、前記第１目標出力と前記分散型電源の出力との差分に基づいて、前記充放電指令を設定する第１指令設定手段とを有し、前記負荷制御指令設定手段は、前記分散型電源の出力を用いて、前記蓄電関連負荷の目標出力である第２目標出力を設定する第２目標出力設定手段と、前記第２目標出力と前記第１目標出力との差分を用いて、前記負荷制御指令を設定する第２指令設定手段とを有していてもよい。
【０００９】
このような構成によれば、蓄電手段の充電率に基づく補正を行う出力補正手段を備えるので、蓄電手段の充電率を目標充電率付近に維持することが可能となる。また、蓄電手段の充電率が目標充電率付近で維持されることにより、蓄電手段による変動抑制の効果が低下するおそれがあるが、これについては、蓄電関連負荷の出力制御によって補償することが可能となる。これにより、蓄電手段の充電率を目標充電率付近に維持しながら、分散型電源の出力抑制効果についても向上させることができる。
【００１０】
上記分散型電源の出力平準化システムにおいて、前記負荷制御指令設定手段は、前記蓄電手段の使用期間、外気温、及び前記蓄電手段の温度の少なくともいずれか１つに基づいて、前記負荷制御指令を補正する指令補正手段を備えることとしてもよい。
【００１１】
例えば、蓄電手段の温度が高い場合あるいは低い場合には、空調設備を停止させてしまうと、蓄電手段の温度が適正作動範囲を超えてしまうおそれがある。従って、このような場合には、負荷制御指令を補正することにより、可能な範囲で蓄電関連負荷を作動・作動停止させることが可能となる。
【００１２】
上記分散型電源の出力平準化システムにおいて、前記蓄電関連負荷には、前記蓄電手段を冷却するための空調設備が含まれ、前記分散型電源の出力変動が前記蓄電手段の充電制御によって吸収できない場合に、前記空調設備の出力を強制的に増加させ、前記分散型電源の出力変動が前記蓄電手段の充電制御によって吸収できない場合に、前記空調設備の出力を強制的に低下させるまたは前記空調設備を強制停止させることとしてもよい。
【００１３】
このように、空調設備の出力を強制的に増加させたり、強制的に低下させることにより、蓄電関連負荷の消費電力を増減させることができ、分散型電源の出力平準化に寄与することができる。
【００１４】
上記分散型電源の出力平準化システムは、前記空調設備から放出される熱エネルギーを蓄積する熱蓄積手段を更に備えていてもよい。
【００１５】
このように、熱蓄積手段を設けることにより、空調設備が過剰に運転された場合における熱エネルギーを蓄積することが可能となる。蓄積した熱エネルギーについては将来的に放出されることにより、熱エネルギーを捨てることなく、有効に使用することが可能となる。
【００１６】
上記分散型電源の出力平準化システムにおいて、前記蓄電関連負荷には、無停電電源装置が含まれ、前記分散型電源の出力変動が、前記蓄電手段の放電制御によって吸収できない場合に、前記無停電電源装置を前記電力線から切り離すこととしてもよい。
【００１７】
このように、分散型電源の出力変動が、蓄電手段の放電制御によって吸収できない場合には、無停電電源装置を電力線から切り離すことにより、消費電力を低減させることができ、出力平準化に寄与することができる。
【００１８】
本発明は、自然エネルギーを電力に変換して出力する分散型電源と、上記の分散型電源の出力平準化システムとを備える分散型電源システムを提供する。
【００１９】
本発明は、自然エネルギーを電力に変換して出力する分散型電源と電力系統とを接続する電力線に、充放電可能な蓄電手段及び蓄電関連負荷を接続し、前記蓄電手段の充放電を制御するための充放電指令を設定する充放電指令設定過程と、前記充放電指令による蓄電手段の充放電制御では吸収できない前記分散型電源の出力変動の余剰分を、前記蓄電関連負荷の出力制御によって低減させる負荷制御指令を設定する負荷制御指令設定過程と、前記充放電指令に基づいて前記蓄電手段の充放電を制御する充放電制御過程と、前記負荷制御指令に基づいて前記蓄電関連負荷を制御する負荷制御過程とを有し、前記蓄電手段の充放電制御及び前記蓄電関連負荷の出力制御による前記分散型電源の出力の平準化が可能な分散型電源の出力平準化方法を提供する。
【発明の効果】
【００２０】
本発明によれば、分散型電源から電力系統へ供給される電力の変動抑制効果を向上させることができるという効果を奏する。
【図面の簡単な説明】
【００２１】
【図１】本発明の一実施形態に係る分散型電源システムの概略構成を示した図である。
【図２】図１に示したシステム制御部の制御ブロックの一例を示した図である。
【図３】蓄電装置のみを利用して出力平準化を行った場合における分散型電源システムの出力のイメージ波形と、蓄電装置及び蓄電関連負荷を利用して出力平準化を行った場合の分散型電源システムの出力のイメージ波形とを比較して示した図である。
【発明を実施するための形態】
【００２２】
以下に、本発明の一実施形態に係る分散型電源の出力平準化システム及びその方法並びに分散型電源システムについて、図面を参照して説明する。
【００２３】
図１は、本発明の一実施形態に係る分散型電源システムの概略構成を示した図である。図１に示されるように、分散型電源システム１は、自然エネルギーを電力に変換して出力する分散型電源２を備えている。分散型電源２の出力は、電力線３を通じて電力系統４に供給される。電力線３には、分散型電源２の出力を計測する電力センサ５が設けられている。図１において、分散型電源２は、１台のみ示されているが、分散型電源２の接続数については限定されない。例えば、複数台の分散型電源２が接続されていてもよく、また、この場合には、異なる種類の分散型電源２（例えば、風力発電装置と太陽光発電装置等）が接続されていてもよい。
【００２４】
分散型電源２と電力系統４とを接続する電力線３には、分散型電源２の出力変動を抑制し、電力系統４に供給される電力を平準化する分散型電源の出力平準化システム１０（以下「出力平準化システム１０」という）が接続されている。
出力平準化システム１０は、蓄電装置１１、蓄電装置１１の充放電を制御する充放電制御部１２、蓄電関連負荷１３、蓄電関連負荷１３を制御する負荷制御部１４、充放電制御部１２及び負荷制御部１４に制御指令を与えるシステム制御部１５を備えている。
【００２５】
蓄電装置１１に使用される蓄電池は、リチウム蓄電池、鉛蓄電池、ニッケル水素蓄電池など特に限定されないが、充放電の追従性がよいことからリチウム蓄電池を用いることが好ましい。例えば、蓄電装置１１は、複数のリチウムイオン蓄電池を直列に接続した複数の組電池を、更に並列に接続して構成される。充放電制御部１２は、インバータ等の電力変換装置１２１と、電力変換装置１２１を駆動する駆動制御回路１２２とを備えている。蓄電装置１１は、電力変換装置１２１、変圧器７を介して電力線３に接続されている。
蓄電装置１１は、建屋２０内に設置され、建屋２０内の温度が管理されることで、蓄電装置１１の温度が適正作動範囲に維持される。建屋２０は、例えば、コンテナであり、密閉空間とされていることが好ましい。
【００２６】
蓄電関連負荷１３は、例えば、建屋２０内に設置されており、主に、蓄電装置１１を利用するに当たって必要となる補機類である。蓄電関連負荷１３の一例として、例えば、蓄電装置１１の温度を適正作動範囲に維持するための空調設備、空気を対流させるためのファンの外、照明、無停電電源装置等が挙げられる。蓄電関連負荷１３は、ＤＣ／ＡＣ変換器８、変圧器９を介して電力線３に接続され、電力線３からの電力供給により動作するように構成されている。なお、空調設備は、加熱機能のみを備えるもの、冷却機能のみを備えるものをそれぞれ有していても良いし、両機能を併せ持った設備であってもよい。
【００２７】
このような出力平準化システム１０においては、蓄電装置１１の充放電制御だけでなく、蓄電関連負荷１３の出力制御を積極的に利用して、分散型電源２の出力の平準化を行う。そのため、システム制御部１５は、分散型電源２の出力変動を抑制するような蓄電装置１１の充放電制御指令と蓄電関連負荷１３の出力制御指令とを設定する。
【００２８】
図２は、システム制御部１５の制御ブロックを概略的に示した図である。図２に示すように、システム制御部１５は、充放電指令設定部３０及び負荷制御指令設定部４０を備えている。また、システム制御部１５には、入力情報として、分散電源２の出力の計測値Ｐｗｔ［Ｗ］（以下、「分散型電源２の出力Ｐｗｔ」という。）、蓄電装置１１の充電率ＳＯＣ［％］が入力される。なお、分散電源２が複数設けられていた場合には、それらの出力の合算値が入力される。
【００２９】
充放電指令設定部３０は、出力補正部３１、第１目標出力設定部３２、及び第１指令設定部３３を備えている。
出力補正部３１は、蓄電装置１１の蓄電率ＳＯＣを所定の目標充電率（例えば、５０％）ＳＯＣｔｇに近づけるための補正値を演算し、この補正値を用いて分散型電源２の出力Ｐｗｔを補正する。なお、目標充電率ＳＯＣｔｇは、予め出力補正部３１に登録されている情報である。例えば、出力補正部３１は、現在の充電率ＳＯＣから目標充電率ＳＯＣｔｇを差し引くことにより差分を算出する差分算出部３１１と、差分算出部３１１の演算結果にゲインＫｐを乗じる比例演算部３１２と、比例演算部３１２の出力である補正値を分散型電源２の出力Ｐｗｔ［Ｗ］に加算する加算部３１３とを備えている。
【００３０】
補正値が加算された後の分散型電源の出力Ｐｗｔ´は、第１目標出力設定部３２に出力される。第１目標出力設定部３２は、補正後の分散電源の出力Ｐｗｔ´を用いて、蓄電装置１１の目標出力である第１目標出力Ｐｔ１を設定する。例えば、第１目標出力設定部３２は、補正後の分散電源の出力Ｐｗｔ´を所定の上下限範囲内に抑えるリミッタ３２１と、リミッタ３２１通過後の信号を平滑化する平滑化フィルタ３２２とを備えている。平滑化フィルタ３２２通過後の信号は、第１目標出力Ｐｔ１として、第１指令設定部３３に出力される。
【００３１】
第１指令設定部３３は、分散型電源２の出力Ｐｗｔを第１目標出力Ｐｔ１に一致させるような蓄電装置１１の充放電指令Ｐｃ１を設定する。例えば、第１指令設定部３３は、第１目標出力Ｐｔ１から分散型電源２の出力Ｐｗｔを差し引くことにより差分を算出する差分算出部３３１と、差分算出部３３１によって算出された差分を所定の上下限範囲内とするリミッタ３３２とを備えている。リミッタ３３２を通過した後の信号は、充放電指令Ｐｃ１として充放電制御部１２に出力される。
【００３２】
負荷制御指令設定部４０は、充放電指令Ｐｃ１による蓄電装置１１の充放電制御では吸収しきれない分散型電源２の出力変動の余剰分を、蓄電関連負荷１３の出力制御によって抑制させる負荷制御指令Ｐｃ２を設定する。負荷制御指令設定部４０は、第２目標出力設定部４１及び第２指令設定部４２を主な構成として備えている。
【００３３】
第２目標出力設定部４１は、分散型電源２の出力Ｐｗｔを用いて蓄電関連負荷１３の目標出力である第２目標出力Ｐｔ２を設定する。例えば、第２目標出力設定部４１は、分散電源の出力Ｐｗｔを所定の上下限範囲内に抑えるリミッタ４１１と、リミッタ４１１通過後の信号を平滑化する平滑化フィルタ４１２とを備えている。平滑化フィルタ４１２通過後の信号は、第２目標出力Ｐｔ２として、第２指令設定部４２に出力される。
【００３４】
第２指令設定部４２には、第２目標出力Ｐｔ２の外に、上述した第１目標出力設定部３２によって設定された第１目標出力Ｐｔ１が入力される。第２指令設定部４２は、第２目標出力Ｐｔ２を第１目標出力Ｐｔ１に一致させるような負荷制御指令Ｐｃ２を設定する。例えば、第２指令設定部４２は、第１目標出力Ｐｔ１から第２目標出力Ｐｔ２を差し引くことにより差分を算出する差分算出部４２１及び差分算出部４２１によって算出された差分を所定の上下限範囲内とするリミッタ４２２を備えている。リミッタ４２２を通過した後の信号は、負荷制御指令Ｐｃ２として負荷制御部１４に出力される。
【００３５】
図２に示したシステム制御部１５によれば、蓄電装置１１の充電率ＳＯＣを目標充電率ＳＯＣに近づけるための補正値が加算された後の分散型電源２の出力Ｐｗｔ´に基づいて、充放電指令Ｐｃ１が設定される。従って、このような充電率ＳＯＣに基づく補正を行わない場合に比べて、蓄電装置１１の充放電量が制限されてしまう。しかしながら、本実施形態によれば、蓄電装置１１の充電率ＳＯＣによる補正が反映されていない分散型電源２の出力Ｐｗｔを用いて、負荷制御指令Ｐｃ２を設定するので、充電率ＳＯＣの制御に起因して制限される蓄電装置１１の充放電量を蓄電関連負荷１３の出力制御によって補償することが可能となる。
【００３６】
次に、本実施形態に係る分散型電源システム１の動作について説明する。
まず、分散型電源２では、自然エネルギーに基づいて発電が行われ、発電電力が電力線３に出力される。分散型電源２の出力Ｐｗｔは、出力センサ５により計測され、分散型電源２の制御装置（図示略）を介してシステム制御部１５に伝送される。
【００３７】
システム制御部１５では、充放電指令設定部３０（図２参照）により、分散型電源２の出力Ｐｗｔを平準化するとともに、蓄電装置１１の充電率ＳＯＣを目標充電率ＳＯＣに近づけるような充放電指令Ｐｃ１が設定される。また、負荷制御指令設定部４０により、蓄電装置１１の充放電制御では平準化しきれない分散型電源２の出力Ｐｗｔの変動余剰分を低減するための負荷制御指令Ｐｃ２が設定される。
【００３８】
充放電指令設定部３０によって設定された充放電指令Ｐｃ１は、充放電制御部１２の駆動制御回路１２２に出力される。充放電制御部１２の駆動制御回路１２２は、充放電指令Ｐｃ１に基づいて電力変換装置１２１を制御することにより、蓄電装置１１の充放電を制御する。これにより、例えば、分散型電源２の出力Ｐｗｔが第１目標出力Ｐｔ１よりも大きい場合には、その差分に応じた充電制御が行われ、分散型電源２の出力Ｐｗｔが第１目標出力Ｐｔ１よりも小さい場合には、その差分に応じた放電制御が行われる。
【００３９】
また、負荷制御指令設定部４０によって設定された負荷制御指令Ｐｃ２は、負荷制御部１４に出力される。負荷制御部１４は、負荷制御指令Ｐｃ２に基づいて蓄電関連負荷１３の出力制御を行う。これにより、例えば、分散型電源２の出力が増加し、蓄電装置１１の充電制御だけでは出力Ｐｗｔを平準化しきれない場合には、蓄電池装置１１の許容温度の範囲内で、空調設備の出力を増加させる（例えば、圧縮機モータの回転数を上げる）、ファンの回転数を上げる、照明を点灯させるなどの出力制御を行い、蓄電関連負荷１３の消費電力を増加させて、分散型電源２の出力平準化に寄与する。
【００４０】
一方、分散型電源２の出力が減少し、蓄電装置１１の放電制御だけでは出力を平準化しきれない場合には、蓄電池装置１１の許容温度の範囲内で、空調設備の出力を低下させる（例えば、圧縮機モータの回転数を下げる）または空調設備を停止させる、ファンの回転数を下げるまたはファンを停止する、照明を切る、無停電電源装置を電力線３から切り離すなどの出力制御を行い、蓄電関連負荷１３の消費電力を低下させて、分散型電源２の出力平準化に寄与する。
【００４１】
ここで、空調設備に関しては、蓄電装置１１の温度に応じて出力制御を調整することとしてもよい。例えば、蓄電装置１１の温度が高い場合に、空調設備を停止させてしまうと、蓄電装置１１の温度が適正作動範囲を超えてしまうおそれがあり、好ましくない。従って、空調設備に関しては、蓄電装置１１の温度が予め設定されている所定の温度以下である場合に、出力低下または運転停止を行うことが好ましい。
【００４２】
以上説明したように、本実施形態に係る分散型電源の出力平準化システム１０及びその方法並びに分散型電源システム１によれば、蓄電装置１１だけではなく、蓄電装置１１を利用するために必要とされる蓄電関連負荷１３も利用し、蓄電装置１１と蓄電関連負荷１３の協働的な電力制御により分散型電源２の出力を平準化する。従って、従来、蓄電装置１１だけでは平準化しきれなかった分散型電源２の出力変動についても抑制することが可能となり、出力の平準化効果を高めることができる。
【００４３】
図３は、蓄電装置１１のみを利用して出力平準化を行った場合における分散型電源システムの出力のイメージ波形と、本実施形態に係る分散型電源システム１、すなわち、蓄電装置１１及び蓄電関連負荷１３を利用して出力平準化を行った場合の分散型電源システムの出力のイメージ波形とを比較して示した図である。図３に示すように、蓄電関連負荷１３を利用して平準化を行うことにより、従来は吸収できなかった変動についても抑制でき、変動抑制効果が高いことがわかる。
【００４４】
なお、本実施形態においては、建屋２０内に、空調設備による熱エネルギーを蓄える熱蓄積手段を更に設けることとしてもよい。熱蓄積手段としては、例えば、水や反応性の低い油類を収容した大きな容器などが挙げられる。すなわち、分散型電源２の出力が増加して、蓄電装置１１の充電制御と蓄電関連負荷１３における空調設備の出力を増加させる制御を行う場合、空調設備の冷却効果或いは暖房効果が高められることにより過冷却状態・過剰加熱状態となる。従って、このような場合に、過剰となった熱エネルギーを一旦蓄えておき、将来的に熱蓄積手段から熱エネルギーを放出させることで、空調設備から放出される熱エネルギーを有効に利用することが可能となる。
【００４５】
以上、本発明についての一実施形態について述べてきたが、本発明は、上述の実施形態のみに限定されるものではなく、発明の要旨を逸脱しない範囲において、種々変形実施が可能である。
【符号の説明】
【００４６】
１  分散型電源システム
２  分散型電源
３  電力線
４  電力系統
５  電力センサ
１０  分散型電源の出力平準化システム
１１  蓄電装置
１２  充放電制御部
１３  蓄電関連負荷
１４  負荷制御部
１５  システム制御部
３０  充放電指令設定部
３１  出力補正部
３２  第１目標出力設定部
３３  第１指令設定部
４０  負荷制御指令設定部
４１  第２目標出力設定部
４２  第２指令設定部
１２１  電力変換装置
１２２  駆動制御回路
３１１、３３１、４２１  差分算出部
３１２  比例演算部
３１３  加算部
３２１、３３２、４１１、４２２  リミッタ
３２２、４１２  平滑化フィルタ
【図１】
2014138546.tif 000003
【図２】
2014138546.tif 000004
【図３】
2014138546.tif 000005